(57)【要約】      （修正有）【課題】縦型チューブ処理装置において、ガス供給ノズルの最上部にあるガス供給口から噴出された反応ガスがウェハボートの上面より上の空間にも流れてしまい処理室内で反応ガスの流速や流量が変わってしまうことを抑制する。【解決手段】複数の基板１４を処理する反応室４４と、反応室４４を囲むように設けられる加熱部４８と、複数の基板１４を保持して反応室４４内に載置されるボート３０と、反応室４４内に設置され、複数の基板１４に向かって成膜ガスを供給する複数のガス供給口を有するガス供給ノズル６０，７０と、反応室４４内の雰囲気を排気する排気口９０，３９０と、ボート３０の側面を挟むように設けられた整流壁と、ガス供給ノズル６０，７０の上端より上方に設けられ、前記複数のガス供給口からボート３０の上端より上方の空間を通って排気口９０へ向かう流路に設けられたガス流抑止部３１０と、を具備する装置とする。【選択図】図２
2012175077.tif 000002
【特許請求の範囲】
【請求項１】
複数の基板を処理する反応室と、
前記反応室を囲むように設けられる加熱部と、
前記複数の基板を保持した状態で前記反応室内に載置されるボートと、
前記反応室内に設置され、前記複数の基板に向かって成膜ガスを供給する複数のガス供給口を有するガス供給ノズルと、
前記反応室内の雰囲気を排気する排気口と、
前記ボートの側面を挟むように設けられた整流壁と、
前記ガス供給ノズルの上端より上方に設けられ、前記複数のガス供給口から前記ボートの上端より上方の空間を通って前記排気口へ向かう流路に設けられたガス流抑止部と、を具備する基板処理装置。
【請求項２】
請求項１において、
前記反応室は、有天筒状の前記加熱部により構成され、
前記整流壁は、前記加熱部の側壁との間に空間を形成するように設けられ、
前記ガス流抑止部は、前記ボートの上端より上方の空間を通って、前記加熱部の側壁と前記整流壁との間の空間に流れる流路を狭めるように設けられる基板処理装置。
【請求項３】
請求項１において、
前記ガス流抑止部は、前記ボートの天板の上端を前記ガス供給ノズルの上端より高くすることにより設けられる基板処理装置。
【請求項４】
請求項１において、
前記ボートは、複数の基板を保持するための複数の保持溝が構成され、
前記ボートの少なくとも最上段の保持溝は、前記複数の基板より厚いガス流調整板が搭載される基板処理装置。
【発明の詳細な説明】
【技術分野】
【０００１】
本発明は、基板を処理する基板処理装置、半導体デバイスの製造方法及び基板の製造方法、特に炭化ケイ素（以下、ＳｉＣとする）エピタキシャル膜を基板上に成膜する工程を有する基板処理装置、半導体デバイスの製造方法及び基板製造方法に関するものである。
【背景技術】
【０００２】
ＳｉＣは、特にパワーデバイス用素子材料として注目されている。一方で、ＳｉＣはシリコン（以下Ｓｉとする）に比べて結晶基板やデバイスの作製が難しいことが知られている。
【０００３】
ＳｉＣを用いてデバイスを作製する場合は、ＳｉＣ基板の上にＳｉＣエピタキシャル膜を形成したウェーハを用いる。このＳｉＣ基板上にＳｉＣエピタキシャル膜を形成するＳｉＣエピタキシャル成長装置の一例として特許文献１がある。
【０００４】
特許文献１には、ガス供給ノズルから噴出された反応ガスがウェーハに対し、効率よく供給されるように、ボートとサセプタとの間に形成される空間を狭めるように設けられたサセプタウォールが開示されている。
【先行技術文献】
【特許文献】
【０００５】
【特許文献１】特開２０１０−２８３３３６号公報
【発明の概要】
【発明が解決しようとする課題】
【０００６】
しかしながら、特許文献１においては、ウェーハ表面と平行な面に対するガス流れについては検討されているが、高さ方向（ウェーハ表面に対して垂直な方向）に対するガス流れについては検討されていない。
【０００７】
より具体的に言えば、ボートの上面とサセプタの天井部分との間には空間があるため、ガス供給ノズルの最上部にあるガス供給口から噴出された反応ガスは、当該ボートの上面より上の空間にも流れてしまい、ガス供給ノズルの最上部から噴出された反応ガスとその他のガス供給口から噴出された反応ガスとでは、その速度や流量が変わってしまう恐れがある。
【課題を解決するための手段】
【０００８】
本発明の一態様によれば、複数の基板を処理する反応室と、前記反応室を囲むように設けられる加熱部と、前記複数の基板を保持した状態で前記反応室内に載置されるボートと、前記反応室内に設置され、前記複数の基板に向かって成膜ガスを供給する複数のガス供給口を有するガス供給ノズルと、前記反応室内の雰囲気を排気する排気口と、前記ボートの側面を挟むように設けられた整流壁と、前記ガス供給ノズルの上端より上方に設けられ、前記複数のガス供給口から前記ボートの上端より上方の空間を通って前記排気口へ向かう流路に設けられたガス流抑止部と、を具備する基板処理装置が提供される。
【発明の効果】
【０００９】
本発明によれば、均質な基板を製造できる。
【図面の簡単な説明】
【００１０】
【図１】本発明が適用される半導体製造装置の斜視図である。
【図２】本発明が適用される処理炉の側面断面図である。
【図３】本発明が適用される処理炉の平面断面図である。
【図４】本発明が適用される処理炉の側面断面図である。
【図５】本発明が適用される処理炉の平面断面図である。
【図６】本発明が適用される半導体製造装置のガス供給ユニットを説明する図である。
【図７】本発明が適用される半導体製造装置の制御構成を示すブロック図である。
【図８】本発明を説明するために比較例の簡略化した処理炉の図である。
【図９】本発明を説明するために簡略化した処理炉の図である。
【図１０】本発明が適用される半導体製造装置の処理炉及びその周辺構造の概略断面図である。
【図１１】本発明を説明するために簡略化した処理炉の図である。
【図１２】本発明を説明するために簡略化した処理炉の側面断面図である。
【発明を実施するための形態】
【００１１】
以下、図面を参照しつつ本発明の実施形態を説明する。以下の実施形態では、基板処理装置の一例であるＳｉＣエピタキシャル成長装置における、高さ方向にＳｉＣウェーハを並べる、所謂バッチ式縦型ＳｉＣエピタキシャル成長装置で説明する。なお、バッチ式縦型ＳｉＣエピタキシャル成長装置とすることで、一度に処理できるＳｉＣウェーハの数が多くなりスループットが向上する。
【００１２】
＜全体構成＞
先ず、図１に於いて、本発明の第１の実施形態に於けるＳｉＣエピタキシャル膜を成膜する基板処理装置、および、半導体デバイスの製造工程の一つであるＳｉＣエピタキシャル膜を成膜する基板の製造方法について説明する。
【００１３】
基板処理装置（成膜装置）としての半導体製造装置１０は、バッチ式縦型熱処理装置であり、主要部が配置される筐体１２を有する。前記半導体製造装置１０には、例えばＳｉＣ等で構成された基板としてのウェーハ１４（図２参照）を収納する基板収容器として、フープ（以下、ポッドと称す）１６がウェーハキャリアとして使用される。前記筐体１２の正面側には、ポッドステージ１８が配置されており、該ポッドステージ１８にポッド１６が搬送される。ポッド１６には、例えば２５枚のウェーハ１４が収納され、蓋が閉じられた状態で前記ポッドステージ１８にセットされる。
【００１４】
前記筐体１２内の正面であって、前記ポッドステージ１８に対向する位置には、ポッド搬送装置２０が配置されている。又、該ポッド搬送装置２０の近傍にはポッド収納棚２２、ポッドオープナ２４及び基板枚数検知器２６が配置されている。前記ポッド収納棚２２は前記ポッドオープナ２４の上方に配置され、ポッド１６を複数個載置した状態で保持する様に構成されている。前記基板枚数検知器２６は、前記ポッドオープナ２４に隣接して配置され、前記ポッド搬送装置２０は前記ポッドステージ１８と前記ポッド収納棚２２と前記ポッドオープナ２４との間でポッド１６を搬送する。前記ポッドオープナ２４はポッド１６の蓋を開けるものであり、前記基板枚数検知器２６は蓋を開けられたポッド１６内のウェーハ１４の枚数を検知する様になっている。
【００１５】
前記筐体１２内には、基板移載機２８、基板保持具としてのボート３０が配置されている。前記基板移載機２８は、アーム（ツイーザ）３２を有し、図示しない駆動手段により昇降可能且つ回転可能な構造となっている。前記アーム３２は、例えば５枚のウェーハ１４を取出すことができ、前記アーム３２を動かすことにより、前記ポッドオープナ２４の位置に置かれたポッド１６及びボート３０間にてウェーハ１４を搬送する。
【００１６】
前記ボート３０は、例えばカーボングラファイトやＳｉＣ等の耐熱性材料で構成されており、複数枚のウェーハ１４を水平姿勢で、且つ互いに中心を揃えた状態で整列させて縦方向に積上げ、保持する様に構成されている。尚、前記ボート３０の下部には、例えば石英やＳｉＣ等の耐熱性材料で構成された円筒状の断熱部材としてボート断熱部３４が配置されており、後述する被加熱体４８からの熱が処理炉４０の下方側に伝わりにくくなる様に構成されている（図２参照）。
【００１７】
前記筐体１２内の背面側上部には前記処理炉４０が配置されている。該処理炉４０内に複数枚のウェーハ１４を装填した前記ボート３０が搬入され、熱処理が行われる。
【００１８】
＜処理炉構成＞
次に、図２から図６に基づいて、ＳｉＣエピタキシャル膜を成膜する前記半導体製造装置１０の前記処理炉４０について説明する。図２は、処理炉４０の側面断面図であり、図３は、図２におけるＡ−Ａ位置の平面断面図である。なお、図２は、図３におけるＣ−Ｃ位置の側面断面図である。図４は、図３におけるＤ−Ｄ位置の側面断面図であり、特に処理炉の上面部分を記載している。図５は、図２におけるＢ−Ｂ位置の平面断面図である。また、図６は、ガス供給ユニットを説明する図となっている。
【００１９】
処理炉４０には、第１のガス供給口６８を有する第１のガス供給ノズル６０、第２のガス供給口７２を有する第２のガス供給ノズル７０、及び第１のガス排気口９０が設けられる。又、不活性ガスを供給する第３のガス供給口３６０、第２のガス排気口３９０が図示されている。
【００２０】
処理炉４０は、石英又はＳｉＣ等の耐熱性材料からなり、上端が閉塞し下端が開口した円筒形状に形成された反応管４２を備えている。反応管４２の下方には、反応管４２と同心円状にマニホールド３６が配設されている。該マニホールド３６は、例えばステンレス等からなり、上端及び下端が開口した円筒形状に形成されている。該マニホールド３６は、反応管４２を支持する様に設けられている。尚、マニホールド３６と反応管４２との間には、シール部材としてのＯリング（図示せず）が設けられている。マニホールド３６が図示しない保持体に支持されることにより、反応管４２は垂直に据付けられた状態になっている。該反応管４２とマニホールド３６により、反応容器が形成されている。
【００２１】
処理炉４０は、上端が閉塞し下端が開口した円筒形状に形成された被誘導体４８及び磁場発生部としての誘導コイル５０を具備している。被誘導体４８の筒中空部には、反応室４４が形成れており、ＳｉＣ等で構成された基板としてのウェーハ１４を保持したボート３０を収納可能に構成されている。ボート３０は、水平姿勢で、且つ、互いに中心を揃えた状態で縦方向に整列するようにウェーハホルダ１５に保持されたウェーハ１４を保持するよう構成されている。被誘導体４８は、該反応管４２の外側に設けられた誘導コイル５０により発生される磁場によって加熱される様になっており、被誘導体４８が発熱することにより、反応室４４内が加熱される様になっている。
【００２２】
被誘導体４８の近傍には、反応室４４内の温度を検出する温度検出体として図示しない温度センサが設けられている。誘導コイル５０及び温度センサは、温度制御部５２と電気的に接続されており、温度センサにより検出された温度情報に基づき、誘導コイル５０への通電具合が調節されることで、反応室４４内の温度が所望の温度分布となる様所定のタイミングにて制御される様構成されている（図７参照）。
【００２３】
反応室４４内に於いて前記第１及び第２のガス供給ノズル６０，７０と第１のガス排気口９０との間であって、前記被加熱体４８とウェーハ１４との間には、被加熱体４８とウェーハ１４との間の空間を埋める様、鉛直方向に延在し断面が円弧状の整流壁３００を反応室４４内に設けている。例えば、図３に示す様に、対向する位置にそれぞれ整流壁３００を設けることで、第１及び第２のガス供給ノズル６０，７０から供給されるガスが、被誘導体４８の内壁に沿ってウェーハ１４を迂回するのを防止することができる。整流壁３００としては、好ましくはカーボングラファイト等で構成すると、耐熱及びパーティクルの発生を抑制することができる。更には、本実施形態の整流壁３００は、被誘導体４８とボート３０との間の空間を埋めるのではなく、ボート３０を囲うように薄く設けられている。これにより、整流壁３００が軽くなると共に、熱容量が小さくなり、昇温や降温時間を短くすることができる。
【００２４】
反応管４２と被誘導体４８との間には、例えば誘電されにくいカーボンフェルト等で構成された断熱材５４が設けられ、該断熱材５４を設けることにより、被誘導体４８の熱が反応管４２或は該反応管４２の外側へ伝達するのを抑制することができる。
【００２５】
又、誘導コイル５０の外側には、反応室４４内の熱が外側に伝達するのを抑制する為の、例えば水冷構造である外側断熱壁５５が反応室４４を囲む様に設けられている。更に、外側断熱壁５５の外側には、誘導コイル５０により発生された磁場が外側に漏れるのを防止する磁気シール５８が設けられている。
【００２６】
図２に示す様に、被誘導体４８とウェーハ１４との間には、少なくとも１つの第１のガス供給口６８が設けられた第１のガス供給ノズル６０が設置される。又、被誘導体４８とウェーハ１４との間の第１のガス供給ノズル６０とは異なる箇所には、少なくとも１つの第２のガス供給口７２が設けられた第２のガス供給ノズル７０が設けられる。また、第１のガス排気口９０も同様に被加熱体４８とウェーハ１４との間に配置される。又、反応管４２と断熱材５４との間に、第３のガス供給口３６０及び第２のガス排気口３９０が配置されている。
【００２７】
第１のガス供給口６８及び第１のガス供給ノズル６０は、例えばカーボングラファイトで構成され、反応室４４内に設けられる。又、第１のガス供給ノズル６０は、マニホールド３６を貫通する様に該マニホールド３６に取付けられている。該第１のガス供給ノズル６０は、第１のガスライン２２２を介してガス供給ユニット２００に接続される。
【００２８】
前記第２のガス供給口７２は、例えばカーボングラファイトで構成され、反応室４４内に設けられる。また、第２のガス供給ノズル７０は、マニホールド３６を貫通する様に、該マニホールド３６に取付けられている。また、第２のガス供給ノズル７０は、第２のガスライン２６０を介してガス供給ユニット２００に接続されている。
【００２９】
又、第１のガス供給ノズル６０及び第２のガス供給ノズル７０に於いて、基板の配列領域に第１のガス供給口６８及び第２のガス供給口７２が１つ設けられていてもよく、ウェーハ１４の所定枚数毎に設けられていてもよい。
【００３０】
＜排気系＞
図２に示す様に、第１のガス排気口９０が、ボート３０より下部に設けられ、マニホールド３６には、第１のガス排気口９０に接続されたガス排気管２３０が貫通する様設けられている。該ガス排気管２３０の下流側には、図示しない圧力検出器としての圧力センサ及び、圧力調整器としてのＡＰＣ（Ａｕｔｏ  Ｐｒｅｓｓｕｒｅ  Ｃｏｎｔｒｏｌｌｅｒ）バルブ２１４を介して真空ポンプ等の真空排気装置２２０が接続されている。圧力センサ及びＡＰＣバルブ２１４には、圧力制御部９８が電気的に接続されており、該圧力制御部９８は圧力センサにより検出された圧力に基づいてＡＰＣバルブ２１４の開度を調整し、処理炉４０内の圧力が所定の圧力となる様所定のタイミングにて制御する様に構成されている（図７参照）。
【００３１】
上記した様に、第１のガス供給口６８及び第２のガス供給口７２から供給されたガスはＳｉ又はＳｉＣで構成されたウェーハ１４に対し平行に流れ、第１のガス排気口９０より排気されるので、ウェーハ１４全体が効率的且つ均一にガスに晒される。
【００３２】
また、ボート３０の下には、反応室からの輻射熱によりマニホールド３６等が加熱されないようにボート断熱部３４Ａが設けられる。また、本実施形態では、反応室にて加熱された成膜ガスが高温のままマニホールド３６等に到達しないように、成膜ガスと熱交換を行い、成膜ガスの温度を下げるための熱交換部が設けられている。具体的には、ボート断熱部３４Ａを中空筒状とし、その側面に沿って成膜ガスが排気されるようにしている。このようにボート断熱部３４Ａを筒状とすることで排気される成膜ガスとの接触面積が大きくなり熱交換の効率が向上する。また、当該ボート断熱部３４Ａを囲むように、第１熱交換部３４Ｂ、及び、ガス供給ノズル６０（７０）の下部に設けられた第２熱交換部が設けられる。これらの第１熱交換部３４Ｂ及び第２熱交換部３４Ｃは、ボート断熱部３４Ａと間隙を有するように配置され、また、排気される成膜ガスの流路を反応質内における成膜ガスの流路より狭くしている。これにより、成膜ガスは、狭い流路を介して排気されるので、より熱交換の効率が良くなる。
【００３３】
又、図３に示す様に、第３のガス供給口３６０は反応管４２と断熱材５４との間に配置され、マニホールド３６を貫通する様に取付けられている。更に、第２のガス排気口３９０が、反応管４２と断熱材５４との間であり、第３のガス供給口３６０に対して対向する様に配置され、第２のガス排気口３９０はガス排気管２３０に接続されている。第３のガス供給口３６０は、マニホールド３６を貫通する第３のガスライン２４０に形成され、第３のガスラインは、ガス供給ユニット２００に接続される。また、図６に示されるように、第３のガスラインは、バルブ２１２ｆ、ＭＦＣ２１１ｆを介してガス供給源２１０ｆと接続されている。該ガス供給源２１０ｆからは不活性ガスとして、例えば希ガスのＡｒガスが供給され、ＳｉＣエピタキシャル膜成長に寄与するガスが反応管４２と断熱材５４との間に進入するのを防ぎ、反応管４２の内壁又は断熱材５４の外壁に不要な生成物が付着するのを防止することができる。
【００３４】
又、反応管４２と断熱材５４との間に供給された不活性ガスは、第２のガス排気口３９０よりガス排気管２３０の下流側にあるＡＰＣバルブ２１４を介して真空排気装置２２０から排気される。
【００３５】
また、図４及び図５に示されるように、整流壁３００の上端には、円環の一部を切り欠いたＣ字型の整流蓋３１０を設けている。この整流蓋３１０の効果について、図８及び図９を用いて説明する。図８は、本実施形態の整流蓋３１０を設けなかった場合の成膜ガスの流れについて説明するために反応室４４内を簡略して記載した図である。図８（ａ）は、反応室４４の平面断面図でボート３０の天板位置付近を示している。図８（ｂ）は、図８（ａ）において、紙面の下からガス供給ノズル６０（７０）方向を見た図である。なお、説明のためボート３０を省略しており、また、整流壁３００も簡略化している。図８（ｃ）は、図８（ａ）を紙面の横方向から見た図であり、ボートの中心付近を記載している。
【００３６】
図８（ｂ）又は（ｃ）からわかるようにガス供給ノズル６０（７０）及びボート３０の天板と被誘導体４８との間には空間が形成される。また、図８（ａ）に示すように、整流壁３００を薄くしたことにより、整流壁３００と被誘導体４８との間にも空間が形成されている。ここで、図２に示すように第１のガス排気口９０は、処理炉４０の下部に設けられているため、図８（ｂ）に示すような整流壁３００の上端を通って整流壁３００と被誘導体４８との間の空間に向かうガスの流れ、及び、図８（ｃ）に示すようなボート３０の上面を通ってガス供給ノズル６０（７０）と反対方向の空間に向かう流れが存在することになる。その結果、ガス供給ノズル６０（７０）の最上段に設けられたガス供給口から噴出したガスは、本来ウェーハ１４の方向に向かうべきところ、整流壁３００と被誘導体４８との間の空間、及び、ボート３０の上面と被誘導体４８との間の空間に向かって、その一部が流れてしまう。
【００３７】
従って、最上段に位置するガス供給口６８（７２）から噴出したガスは、ウェーハ１４に到達する前に、その供給量が減り、速度も低下する。また、その下に位置するガス供給口６８（７２）から噴出するガスも上方のガス流が弱くなるため上方向への流れができやすい。その結果、ガス供給ノズル６０（７０）の上部側と中央部とでガスの流量や速度が均一でなくなり、均質な膜の形成が困難になる。
【００３８】
一方、本実施形態では、上述したとおり、整流壁３００の上部に整流蓋３１０を設けている。即ち、図９に示すように、整流蓋３１０により、図８に示した整流壁３００の上端やボート３０の上面を通って流れる流路を途中で塞ぐようにし、その流動抵抗を大きくしている。言い換えれば、整流蓋３１０は、ガス流抑制部と言える。従って、図８（ｂ）に示すような整流壁３００の上端を通って整流壁３００と被誘導体４８との間の空間に向かうガスの流れ、及び、図８（ｃ）に示すようなボート３０の上面を通ってガス供給ノズル６０（７０）と反対側の空間に向かう流れができにくくなり、最上段に位置するガス供給口６８（７２）から噴出したガスは、ウェーハ１４間に向けて流れ、ガス供給ノズルの高さ方向のガスの流量や速度を均一化することが可能となる。
【００３９】
また、本実施形態では、整流蓋３１０をガス供給ノズル６０（７０）が位置する部分を切り欠いたＣ字型としている。これにより、ガス供給ノズル６０（７０）を取り外すための被誘導体４８までの空間を確保することができる。
【００４０】
また、本実施形態では、整流蓋３１０は、整流壁３００の上端に固定され、ウェーハ１４の表面と平行な方向に延びるように構成されるが、整流壁３００自体をガス供給ノズル６０の上端より高くし、被誘導体４８に近づけるように構成することで、ガス流抑制部としての機能は実現できる。但し、本実施形態のように整流蓋３１０をウェーハ１４の表面と平行な方向に延びるように構成することで、整流壁３００を低くすることができ、被誘導体４８とガス供給ノズルやボート３０の上方の空間自体を小さくすることができる。
【００４１】
また、ガス流抑制部は、被誘導体４８側に固定し、図８に示した整流壁３００の上端やボート３０の上面を通って流れる流路を途中で塞ぐように構成してもよい。但し、本実施形態のように整流壁３００側に固定することにより、誘導電流により発熱する被誘導体４８を複雑な構造としなくて良く、反応室内の均一な加熱が実現できる。
【００４２】
＜各ガス供給系に供給されるガスの詳細＞
次に、図６を用いて、第１のガス供給系及び第２のガス供給系について説明する。図６に示されるように、該第１のガスライン２２２は、ＳｉＨ４ガス、ＨＣｌガス、不活性ガスに対して流量制御器（流量制御手段）としてのマスフローコントローラ（以下ＭＦＣとする）２１１ａ，２１１ｂ，２１１ｃ、及び、バルブ２１２ａ，２１２ｂ，２１２ｃを介して、例えばＳｉＨ４ガス供給源２１０ａ、ＨＣｌガス供給源２１０ｂ、不活性ガス供給源２１０ｃに接続されている。
【００４３】
上記構成により、ＳｉＨ４ガス、ＨＣｌガス、不活性ガスのそれぞれの供給流量、濃度、分圧、供給タイミングを反応室４４内に於いて制御することができる。バルブ２１２ａ，２１２ｂ，２１２ｃ、ＭＦＣ２１１ａ，２１１ｂ，２１１ｃは、ガス流量制御部７８に電気的に接続されており、それぞれ供給するガスの流量が所定流量となる様に、所定のタイミングにて制御される様になっている（図７参照）。尚、ＳｉＨ４ガス、ＨＣｌガス、不活性ガスのそれぞれのガス供給源２１０ａ，２１０ｂ、２１０ｃ、バルブ２１２ａ，２１２ｂ、２１２ｃ、ＭＦＣ２１１ａ，２１１ｂ，２１１ｃ、第１のガスライン２２２、第１のガス供給ノズル６０及び該第１のガス供給ノズル６０に少なくとも１つ設けられる第１のガス供給口６８により、ガス供給系として第１のガス供給系が構成される。
【００４４】
また、第２のガスライン２６０は、Ｃ（炭素）原子含有ガスとして、例えばＣ３Ｈ８ガスに対して流量制御手段としてのＭＦＣ２１１ｄ及びバルブ２１２ｄを介してＣ３Ｈ８ガス供給源２１０ｄに接続され、還元ガスとして、例えばＨ２ガスに対して流量制御手段としてのＭＦＣ２１１ｅ及びバルブ２１２ｅを介してＨ２ガス供給源２１０ｅに接続されている。
【００４５】
上記構成により、Ｃ３Ｈ８ガス、Ｈ２ガスの供給流量、濃度、分圧を反応室４４内に於いて制御することができる。バルブ２１２ｄ，２１２ｅ、ＭＦＣ２１１ｄ，２１１ｅは、ガス流量制御部７８に電気的に接続されており、供給するガス流量が所定の流量となる様、所定のタイミングにて制御される様になっている（図７参照）。尚、Ｃ３Ｈ８ガス、Ｈ２ガスのガス供給源２１０ｄ，２１０ｅ、バルブ２１２ｄ，２１２ｅ、ＭＦＣ２１１ｄ，２１１ｅ、第２のガスライン２６０、第２のガス供給ノズル７０、第２のガス供給口７２により、ガス供給系として第２のガス供給系が構成される。
【００４６】
このように、Ｓｉ原子含有ガスとＣ原子含有ガスを異なるガス供給ノズルから供給することにより、ガス供給ノズル内では、ＳｉＣ膜が堆積しないようにすることができる。なお、Ｓｉ原子含有ガス及びＣ原子含有ガスの濃度や流速を調整したい場合は、夫々適切なキャリアガスを供給すればよい。
【００４７】
更に、Ｓｉ原子含有ガスを、より効率的に使用するため水素ガスのような還元ガスを用いる場合がある。この場合、還元ガスは、Ｃ原子含有ガスを供給する第２のガス供給ノズル７０を介して供給することが望ましい。このように還元ガスをＣ原子含有ガスと共に供給し、反応室４４内でＳｉ原子含有ガスと混合することにより、還元ガスが少ない状態となるためＳｉ原子含有ガスの分解を成膜時と比較して抑制することができ、第１のガス供給ノズル内におけるＳｉ膜の堆積を抑制することが可能となる。この場合、還元ガスをＣ原子含有ガスのキャリアガスとして用いることが可能となる。なお、Ｓｉ原子含有ガスのキャリアとしては、アルゴン（Ａｒ）のような不活性ガス（特に希ガス）を用いることにより、Ｓｉ膜の堆積を抑制することが可能となる。
【００４８】
更に、第１のガス供給ノズル６０には、ＨＣｌのような塩素原子含有ガスを供給することが望ましい。このようにすると、Ｓｉ原子含有ガスが熱により分解し、第１のガス供給ノズル内に堆積可能な状態となったとしても、塩素によりエッチングモードとすることが可能となり、第１のガス供給ノズル内へのＳｉ膜の堆積をより抑制することが可能になる。また、塩素原子含有ガスには、堆積した膜をエッチングする効果もあり、第１のガス供給口６８の閉塞を抑制することが可能となる。
【００４９】
なお、ＳｉＣエピタキシャル膜を形成する際に流すＣｌ（塩素）原子含有ガスとしてＨＣｌガスを例示したが、塩素ガスを用いてもよい。
【００５０】
又、上述ではＳｉＣエピタキシャル膜を形成する際に、Ｓｉ（シリコン）原子含有ガスとＣｌ（塩素）原子含有ガスとを供給したが、Ｓｉ原子とＣｌ原子を含むガス、例えばテトラクロロシラン（以下ＳｉＣｌ４とする）ガス、トリクロロシラン（以下ＳｉＨＣｌ３）ガス、ジクロロシラン（以下ＳｉＨ２Ｃｌ２）ガスを供給してもよい。また、言うまでもないが、これらのＳｉ原子及びＣｌ原子を含むガスは、Ｓｉ原子含有ガスでも有り、又は、Ｓｉ原子含有ガス及びＣｌ原子含有ガスの混合ガスともいえる。特に、ＳｉＣｌ４は、熱分解される温度が比較的高いため、ノズル内のＳｉ消費抑制の観点から望ましい。
【００５１】
又、上述ではＣ（炭素）原子含有ガスとしてＣ３Ｈ８ガスを例示したが、エチレン（以下Ｃ２Ｈ４とする）ガス、アセチレン（以下Ｃ２Ｈ２とする）ガスを用いてもよい。
【００５２】
また、還元ガスとしてＨ２ガスを例示したが、これに限らず他のＨ（水素）原子含有ガスを用いても良い。更には、キャリアガスとしては、Ａｒ（アルゴン）ガス、Ｈｅ（ヘリウム）ガス、Ｎｅ（ネオン）ガス、Ｋｒ（クリプトン）ガス、Ｘｅ（キセノン）ガス等の希ガスのうち少なくとも１つを用いてもよいし、上記したガスを組合わせた混合ガスを用いてもよい。
【００５３】
＜処理炉の周辺構成＞
次に、図１０に於いて、処理炉４０及びその周辺の構成について説明する。該処理炉４０の下方には、該処理炉４０の下端開口を気密に閉塞する為の炉口蓋体としてシールキャップ１０２が設けられている。該シールキャップ１０２は、例えばステンレス等の金属製であり、円盤状に形成されている。該シールキャップ１０２の上面には、処理炉４０の下端と当接するシール材としてのＯリング（図示せず）が設けられている。シールキャップ１０２には回転機構１０４が設けられ、該回転機構１０４の回転軸１０６はシールキャップ１０２を貫通してボート３０に接続されており、該ボート３０を回転させることでウェーハ１４を回転させる様に構成されている。
【００５４】
又、シールキャップ１０２は処理炉４０の外側に設けられた昇降機構として、後述する昇降モータ１２２によって垂直方向に昇降される様に構成されており、これにより前記ボート３０を処理炉４０に対して搬入搬出することが可能となっている。回転機構１０４及び昇降モータ１２２には、駆動制御部１０８が電気的に接続されており、所定の動作をする様所定のタイミングにて制御する様構成されている（図７参照）。
【００５５】
予備室としてのロードロック室１１０の外面に下基板１１２が設けられている。該下基板１１２には、昇降台１１４と摺動自在に嵌合するガイドシャフト１１６及び昇降台１１４と螺合するボール螺子１１８が設けられている。又、下基板１１２に立設した前記ガイドシャフト１１６及びボール螺子１１８の上端には上基板１２０が設けられている。ボール螺子１１８は、上基板１２０に設けられた昇降モータ１２２によって回転され、ボール螺子１１８が回転されることで昇降台１１４が昇降する様になっている。
【００５６】
該昇降台１１４には中空の昇降シャフト１２４が垂設され、昇降台１１４と昇降シャフト１２４の連結部は気密となっており、該昇降シャフト１２４は昇降台１１４と共に昇降する様になっている。昇降シャフト１２４はロードロック室１１０の天板１２６を遊貫し、昇降シャフト１２４が貫通する天板１２６の貫通孔は、昇降シャフト１２４が天板１２６と接触することがない様充分な隙間が形成されている。
【００５７】
又、ロードロック室１１０と昇降台１１４との間には、昇降シャフト１２４の周囲を覆う様に伸縮性を有する中空伸縮体としてベローズ１２８が設けられ、該ベローズ１２８によりロードロック室１１０が気密に保たれる様になっている。尚、ベローズ１２８は昇降台１１４の昇降量に対応できる充分な伸縮量を有し、ベローズ１２８の内径は昇降シャフト１２４の外径に比べて充分に大きく、伸縮の際に前記ベローズ１２８と昇降シャフト１２４が接触することがない様に構成されている。
【００５８】
該昇降シャフト１２４の下端には、昇降基板１３０が水平に固着され、該昇降基板１３０の下面にはＯリング等のシール部材を介して駆動部カバー１３２が気密に取付けられる。昇降基板１３０と駆動部カバー１３２とで駆動部収納ケース１３４が構成され、この構成により該駆動部収納ケース１３４内部はロードロック室１１０内の雰囲気と隔離される。
【００５９】
又、駆動部収納ケース１３４の内部には前記ボート３０の回転機構１０４が設けられ、該回転機構１０４の周辺は冷却機構１３５によって冷却される様になっている。
【００６０】
電力ケーブル１３８は、昇降シャフト１２４の上端から中空部を通り、回転機構１０４に導かれて接続されている。又、冷却機構１３５及びシールキャップ１０２には冷却水流路１４０が形成されている。更に、冷却水配管１４２が昇降シャフト１２４の上端から中空部を通り冷却水流路１４０に導かれて接続されている。
【００６１】
昇降モータ１２２が駆動され、ボール螺子１１８が回転することで、昇降台１１４及び昇降シャフト１２４を介して駆動部収納ケース１３４を昇降させる。
【００６２】
該駆動部収納ケース１３４が上昇することにより、昇降基板１３０に気密に設けられているシールキャップ１０２が処理炉４０の開口部である炉口１４４を閉塞し、ウェーハ処理が可能な状態となる。又、駆動部収納ケース１３４が下降することにより、シールキャップ１０２と共にボート３０が降下され、ウェーハ１４を外部に搬出できる状態となる。
【００６３】
＜制御部＞
次に、図５に於いて、ＳｉＣエピタキシャル膜を成膜する半導体製造装置１０を構成する各部の制御構成について説明する。
【００６４】
温度制御部５２、ガス流量制御部７８、圧力制御部９８、駆動制御部１０８は、操作部及び入出力部を構成し、半導体製造装置１０全体を制御する主制御部１５０に電気的に接続されている。又、温度制御部５２、ガス流量制御部７８、圧力制御部９８、駆動制御部１０８は、コントローラ１５２として構成されている。
【００６５】
＜ＳｉＣ膜の形成方法＞
次に、上述した半導体製造装置１０を用い、半導体デバイスの製造工程の一工程として、ＳｉＣ等で構成されるウェーハ１４等の基板上に、例えばＳｉＣ膜を形成する基板の製造方法について説明する。尚、以下の説明に於いて半導体製造装置１０を構成する各部の動作は、コントローラ１５２により制御される。
【００６６】
先ず、ポッドステージ１８に複数枚のウェーハ１４を収納したポッド１６がセットされると、ポッド搬送装置２０によりポッド１６をポッドステージ１８からポッド収納棚２２へ搬送し、ストックする。次に、ポッド搬送装置２０により、ポッド収納棚２２にストックされたポッド１６をポッドオープナ２４に搬送してセットし、該ポッドオープナ２４によりポッド１６の蓋を開き、基板枚数検知器２６によりポッド１６に収納されているウェーハ１４の枚数を検知する。
【００６７】
次に、基板移載機２８により、ポッドオープナ２４の位置にあるポッド１６からウェーハ１４を取出し、ボート３０に移載する。
【００６８】
複数枚のウェーハ１４がボート３０に装填されると、ウェーハ１４を保持したボート３０は、昇降モータ１２２による昇降台１１４及び昇降シャフト１２４の昇降動作により反応室４４内に搬入（ボートローディング）される。この状態では、シールキャップ１０２はＯリング（図示せず）を介してマニホールド３６の下端をシールした状態となる。
【００６９】
ボート３０搬入後、反応室４４内が所定の圧力（真空度）となる様に、真空排気装置２２０によって真空排気される。この時、反応室４４内の圧力は、圧力センサ（図示せず）によって測定され、測定された圧力に基づき第１のガス排気口９０及び第２のガス排気口３９０に連通するＡＰＣバルブ２１４がフィードバック制御される。又、ウェーハ１４及び反応室４４内が所定の温度となる様前記被誘導体４８が加熱される。この時、反応室４４内が所定の温度分布となる様、温度センサ（図示せず）が検出した温度情報に基づき誘導コイル５０への通電具合がフィードバック制御される。続いて、回転機構１０４により、ボート３０が回転されることで、ウェーハ１４が周方向に回転される。
【００７０】
続いて、ＳｉＣエピタキシャル成長反応に寄与するＳｉ（シリコン）原子含有ガス及びＣｌ（塩素）原子含有ガスは、それぞれガス供給源２１０ａ，２１０ｂから供給され、前記第１のガス供給口６８より前記反応室４４内に噴出される。又、Ｃ（炭素）原子含有ガス及び還元ガスであるＨ２ガスが、所定の流量となる様に対応する前記ＭＦＣ２１１ｄ，２１１ｅの開度が調整された後、バルブ２１２ｄ，２１２ｅが開かれ、それぞれのガスが第２のガスライン２６０に流通し、第２のガス供給ノズル７０に流通して第２のガス供給口７２より反応室４４内に導入される。
【００７１】
第１のガス供給口６８及び第２のガス供給口７２より供給されたガスは、反応室４４内の被誘導体４８の内側を通り、第１のガス排気口９０からガス排気管２３０を通って排気される。第１のガス供給口６８及び第２のガス供給口７２より供給されたガスは、反応室４４内を通過する際に、ＳｉＣ等で構成されるウェーハ１４と接触し、ウェーハ１４表面上にＳｉＣエピタキシャル膜成長がなされる。また、整流蓋３１０を設けたことにより、最上段のガス供給口６８（７２）から噴出したガスがガス供給ノズル６０（７０）及びボート３０の上方の空間に流れてしまうことを抑制でき、ガスの使用効率を向上させることができる。
【００７２】
又、ガス供給源２１０ｆより、不活性ガスとしての希ガスであるＡｒガスが所定の流量となる様に対応するＭＦＣ２１１ｆの開度が調整された後、バルブ２１２ｆが開かれ、第３のガスライン２４０に流通し、第３のガス供給口３６０から反応室４４内に供給される。第３のガス供給口３６０から供給された不活性ガスとしての希ガスであるＡｒガスは、反応室４４内の断熱材５４と反応管４２との間を通過し、第２のガス排気口３９０から排気される。
【００７３】
次に、予め設定された時間が経過すると、上述したガスの供給が停止され、図示しない不活性ガス供給源より不活性ガスが供給され、反応室４４内の被加熱体４８の内側の空間が不活性ガスで置換されると共に、反応室４４内の圧力が常圧に復帰される。
【００７４】
その後、昇降モータ１２２によりシールキャップ１０２が下降され、マニホールド３６の下端が開口されると共に、処理済みのウェーハ１４がボート３０に保持された状態でマニホールド３６の下端から反応管４２の外部に搬出（ボートアンローディング）され、ボート３０に保持されたウェーハ１４が冷える迄、ボート３０を所定位置にて待機させる。待機させた該ボート３０のウェーハ１４が所定温度迄冷却されると、基板移載機２８により、ボート３０からウェーハ１４を取出し、ポッドオープナ２４にセットされている空のポッド１６に搬送して収納する。その後、ポッド搬送装置２０によりウェーハ１４が収納されたポッド１６をポッド収納棚２２、又は前記ポッドステージ１８に搬送する。この様にして、半導体製造装置１０の一連の作動が完了する。
【００７５】
本実施形態によれば、以下に示す効果のうち少なくとも１つ以上の効果を奏する。
（１）反応室４４内のボート３０及びガス供給ノズル６０（７０）の上方の空間と反応室内の雰囲気を排気する第１のガス排気口９０との間のガスの流路に、当該ガスの流路を狭めるように設けられたガス流抑制部としての整流蓋３１０を有することにより、当該ガスの流路の流動抵抗が増加し、最上段のガス供給口から供給されたガスを効率よくウェーハに向かわせることができる。
（２）（１）において、ボート３０の側面を挟むように整流壁３００を設けることにより、複数のガス供給口から供給されたガスを効率よくウェーハに向かわせることができる。
（３）（２）において、整流壁３００と反応室４４を構成する被誘導体４８との間に空間ができるように整流壁３００を薄く構成することにより、整流壁３００の熱容量を小さくすることができ、昇温・降温の速度を向上させることができる。
（４）（３）において、整流蓋３１０は、整流壁３００の上端に固定されており、高さ方向に延びた整流壁３００に対してウェーハ１４の表面方向に延びる構造を有する。これにより、整流壁３００及び整流蓋３１０の高さを低くすることができる。
（５）（４）において、整流蓋３１０は、円環状の一部を切り欠いたＣ字型とすることにより、ガス供給ノズル６０（７０）を配置する箇所の上部空間を確保でき、ガス供給ノズルのメンテナンスが容易となる。
（６）（１）において、整流蓋３１０は、整流壁３００に固定されることにより、被誘導体４８を複雑な形状とする必要がなくなる。
【００７６】
＜第２の実施形態＞
次に第２の実施形態を図１１を用いて説明する。なお、第１の実施形態と同様な部分は、説明を省略し、主に第１の実施形態と異なる点について説明する。第２の実施形態は、第１の実施形態と比較して、ボート３０の天板の厚さが異なる。即ち、図１１（ｃ）に示すようにボート３０の天板の上端がガス供給ノズル６０（７０）の上端より高くなっている。上述したとおり、ガス供給ノズル６０（７０）は、メンテナンスのため脱着する必要があり、その上部の空間は、ある程度確保する必要がある。通常、ボート３０の天板の上端は、ガス供給ノズル６０（７０）の上端とほぼ等しくされているが、本実施形態では、ボート３０の上端をガス供給ノズルの上端より高くし、ボート３０と被誘導体４８との間の空間を狭め、その流動抵抗を高くしている。これにより、ボート３０の上方の空間を通ってしまうガスの流れを抑制することができ、高さ方向のガス流の均一化を図ることができる。なお、図１１では、整流蓋３１０を記載しているが、整流蓋３１０がなくともボート３０の天板より上方の空間の流動抵抗が高まっているため、ボート３０の天板をガス供給ノズルの上端と同じとする場合と比較して、最上段のガス供給口から噴出ガスの上方向への流れを抑制することができる。
【００７７】
本実施形態によれば、第１の実施形態における効果に加えて、以下に示す効果のうち少なくとも１つ以上の効果を奏する。
（１）ボート３０の天板の上端をガス供給ノズルの上端より高くすることにより、ボート３０と被誘導体４８との間の空間の流動抵抗を高くすることができる。
【００７８】
＜第３の実施形態＞
次に第３の実施形態を図１２を用いて説明する。なお、第１の実施形態と同様な部分は、説明を省略し、主に第１の実施形態と異なる点について説明する。上述したとおり、ガス供給ノズルの上部から噴出するガスは、ガス供給ノズル６０（７０）及びボート３０の上方の空間にも流れてしまい、ガス供給ノズルの上部側では、中央部と比較してガスの流量や速度が小さくなってしまう。そこで、第３の実施形態は、第１の実施形態と異なり、ボート３０の上段のスロットにウェーハ１４と比較して厚いガス流調整板３２０を搭載している。このガス流調整板３２０は、ウェーハ１４と比較して厚いため、ウェーハ１４が搭載される領域と比較してガスの流路を狭くする。言い換えれば、ウェーハ１４が搭載される領域と比較してガス流調整板３２０が搭載される領域の流動抵抗を大きくしている。その結果、ガス流調整板３２０が搭載された領域に噴出したガスは、その流路の流動抵抗が高いため、その一部が流動抵抗の低いほう、即ち、ボート３０の下部のほうへ流れる。そのため、ウェーハ１４が載置された領域は、対応するガス供給口から供給されたガスに加えてガス流調整板３２０が載置された領域に向かって供給されたガスの一部が流れることになる。従って、ウェーハ１４が載置された領域に対応するガス供給口から供給されたガスの一部が上方に流れたとしても、ガス流調整板３２０が載置された領域から流れてきたガスにより補填することができ、ウェーハ１４が載置された領域においては、ガスの流量及び速度を均一化することができる。
【００７９】
なお、本実施形態は、第１の実施形態の整流蓋３１０や第２の実施形態の厚くしたボート３０の天板と組合せるとより効果的である。即ち、ガス供給ノズルやボート天板の上方への大きな流れを整流蓋３１０や厚くしたボート３０の天板で抑制し、更に細かい調整を本実施形態のガス流調整板３２０で行えばよい。
【００８０】
本実施形態によれば、第１及び第２の実施形態における効果に加えて、以下に示す効果のうち少なくとも１つ以上の効果を奏する。
（１）ボート３０の上部のスロットにウェーハ１４より厚いガス流調整板３２０を搭載することにより、ウェーハ１４の搭載領域におけるガスの流量や速度を均一化することができる。
【００８１】
以上、本発明の実施形態を図面を用いて説明してきたが、本発明の趣旨を逸脱しない限り様々な変更が可能である。例えば、実施形態では、ＳｉＣエピタキシャル成長を用いて説明してきたが、これに限らず、所謂縦型バッチ式基板処理装置であれば適用可能であることは言うまでもない。
【００８２】
以上、本発明を実施形態に沿って説明してきたが、ここで本発明の主たる態様を付記する。
（付記１）
複数の基板を処理する反応室と、
前記反応室を囲むように設けられる加熱部と、
前記複数の基板を保持した状態で前記反応室内に載置されるボートと、
前記反応室内に設置され、前記複数の基板に向かって成膜ガスを供給する複数のガス供給口を有するガス供給ノズルと、
前記反応室内の雰囲気を排気する排気口と、
前記ボートの側面を挟むように設けられた整流壁と、
前記ガス供給ノズルの上端より上方に設けられ、前記複数のガス供給口から前記ボートの上端より上方の空間を通って前記排気口へ向かう流路に設けられたガス流抑止部と、を具備する基板処理装置。
（付記２）付記１において、
前記反応室は、有天筒状の前記加熱部により構成され、
前記整流壁は、前記加熱部の側壁との間に空間を形成するように設けられ、
前記ガス流抑止部は、前記ボートの上端より上方の空間を通って、前記加熱部の側壁と前記整流壁との間の空間に流れる流路を狭めるように設けられる基板処理装置。
（付記３）付記２において、
前記ガス流抑止部は、前記整流壁の上端に固定される基板処理装置。
（付記４）付記２において、
前記ガス流抑止部は、前記整流壁の上端に固定され、前記ウェーハ表面と平行方向に延びた円環状の整流蓋である基板処理装置。
（付記５）付記４において、
前記整流蓋は、円環状の部材の一部を切り欠いたＣ字型の部材である基板処理装置。
（付記６）付記１において、
前記ガス流抑止部は、前記ボートの天板の上端を前記ガス供給ノズルの上端より高くすることにより設けられる基板処理装置。
（付記７）付記１から６のいずれかひとつにおいて、
前記ボートは、複数の基板を保持するための複数の保持溝が構成され、
前記ボートの少なくとも最上段の保持溝は、前記複数の基板より厚いガス流調整板が搭載される基板処理装置。
【符号の説明】
【００８３】
１０：半導体製造装置、１２：筐体、１４：ウェーハ、１５：ウェーハホルダ、１５ａ：上部ウェーハホルダ、１５ｂ：下部ウェーハホルダ、１６：ポッド、１８：ポッドステージ、２０：ポッド搬送装置、２２：ポッド収納棚、２４：ポッドオープナ、２６：基板枚数検知器、２８：基板移載機、３０：ボート、３２：アーム、３４Ａ：ボート断熱部、３４Ｂ：第１熱交換部、３４Ｃ：第２熱交換部、３６：マニホールド、４０：処理炉、４２：反応管、４４：反応室、４８：被誘導体、５０：誘導コイル、５２：温度制御部、５４：断熱材、５５：外側断熱壁、５８：磁気シール、６０：第１のガス供給ノズル、６８：第１のガス供給口、７０：第２のガス供給ノズル、７２：第２のガス供給口７２、７８：ガス流量制御部、９０：第１のガス排気口、９８：圧力制御部、１０２：シールキャップ、１０４：回転機構、１０６：回転軸、１０８：駆動制御部、１１０：ロードロック室、１１２：下基板、１１４：昇降台、１１６：ガイドシャフト、１１８：ボール螺子、１２０：上基板、１２２：昇降モータ、１２４：昇降シャフト、１２８：ベローズ、１３０：昇降基板、１３２：駆動部カバー、１３４：駆動部収納ケース、１３５：冷却機構、１３８：電力ケーブル、１４０：冷却水流路、１４２：冷却水配管、１５０：主制御部、１５２：コントローラ、２００：ガス供給ユニット、２１０：ガス供給源、２１１：ＭＦＣ、２１２：バルブ、２１４：ＡＰＣバルブ、２２２：第１のガスライン、２３０：ガス排気管、２６０：第２のガスライン、３００：整流壁、３１０：整流蓋、３２０、ガス流調整板、３６０：第３のガス供給口、３９０：第２のガス排気口。
【図１】
2012175077.tif 000003
【図２】
2012175077.tif 000004
【図３】
2012175077.tif 000005
【図４】
2012175077.tif 000006
【図５】
2012175077.tif 000007
【図６】
2012175077.tif 000008
【図７】
2012175077.tif 000009
【図８】
2012175077.tif 000010
【図９】
2012175077.tif 000011
【図１０】
2012175077.tif 000012
【図１１】
2012175077.tif 000013
【図１２】
2012175077.tif 000014